(57)【要約】【課題】建具枠の施工において建具枠を構成する枠材が枠体に組み立てられた状態で破損しにくく、その状態での取り扱いがしやすい建具枠を提供する。【解決手段】建具枠１は、左右一対の縦枠１０、１０と、その上端部間に配される上枠２０とを有し、建具２が設置される開口部４へ取り付けられるようにしたものである。縦枠１０の上端部の内側面１１、上枠２０の端面２１のいずれか一方面に見込み方向に沿った凹溝１２が形成され、他方面に凹溝１２に嵌合する凸部２２が形成されており、縦枠１０、上枠２０のいずれか一方の見込み方向のすくなくとも一方の端部には、凹溝１２と凸部２２との嵌合状態を隠す覆い部１３が形成されている。【選択図】図１
2015172314.tif 000002
【特許請求の範囲】
【請求項１】
左右一対の縦枠と、その上端部間に配される上枠とを有し、建具が設置される開口部へ取り付けられるようにした建具枠において、
前記縦枠の上端部の内側面、前記上枠の端面のいずれか一方面に見込み方向に沿った凹溝が形成され、他方面に前記凹溝に嵌合する凸部が形成されており、
前記縦枠、前記上枠のいずれか一方の見込み方向のすくなくとも一方の端部には、前記凹溝と前記凸部との嵌合状態を隠す覆い部が形成されていることを特徴とする建具枠。
【請求項２】
請求項１において、
前記凹溝および前記覆い部は前記縦枠に形成されており、
前記覆い部は、嵌合状態にある前記上枠の端部を隠す突出部を備えている、建具枠。
【請求項３】
請求項１または２において、
前記上枠が前記縦枠の内側面から遠ざかる方向に引き離されることを防止する離反防止手段をさらに備えている、建具枠。
【請求項４】
請求項３において、
前記凹溝は前記縦枠の上端面に平行な直線形状とされ、
前記離反防止手段は、前記凸部の上下方向のすくなくとも一方に突出する突部と、該突部と嵌合し、前記凹溝の内面よりさらに掘り込まれてなる突受け部とより構成されている、建具枠。
【発明の詳細な説明】
【技術分野】
【０００１】
本発明は、建具が設置される開口部に枠体として取り付けられる建具枠に関する。
【背景技術】
【０００２】
建具枠は、開口部の両端に立設される縦枠と、縦枠の上端間に連結される上枠とをすくなくとも備えている。通例では建具枠は、美観を考慮して、上枠が縦枠の上端部間に挟まれるように設置される。
【０００３】
このような建具枠における縦枠と上枠との連結は、たとえば特許文献１に示すように、縦枠の外側面からねじ止めによってなされる。また、特許文献２に示すように、上枠の連結端部に蟻ほぞが形成され、縦枠の連結端部に蟻ほぞに対応した凹部が形成され、蟻ほぞと凹部との嵌合により両部材を連結できるようにしたものも提案されている。
【先行技術文献】
【特許文献】
【０００４】
【特許文献１】特開２０１２−２４１４６０号公報
【特許文献２】実開平３−８７７８２号公報
【発明の概要】
【発明が解決しようとする課題】
【０００５】
ところで、そのような建具枠は、２つの縦枠と、上枠と、さらに必要な場合には下枠とを枠体に組み立ててから、その枠体を開口部に設置するような設置手順となっている。この枠体は建具に対応した、一人では持ち運びしにくいサイズとなっているため、通例では複数の作業者によって、開口部までの運搬および開口部への取り付けがなされている。
【０００６】
しかしながら、特許文献１に記載の枠体はねじ（棒状連結具）のみで固定したものであるから固定保持力が弱く、運搬時の揺れなどにより長方形状の枠体が平行四辺形状に変形することがあり、そのような歪みにより各枠部材やねじが破損することがあった。また、特許文献２のものについても、上枠と縦枠の角部同士の噛み合わせであるため、運搬の際に外れたり、破損したりするおそれがある。
【０００７】
本発明は、このような事情を考慮して提案されたもので、その目的は、建具枠の施工において建具枠を構成する枠材が枠体に組み立てられた状態で破損しにくく、その状態での取り扱いがしやすい建具枠を提供することにある。
【課題を解決するための手段】
【０００８】
上記目的を達成するために、本発明の建具枠は、左右一対の縦枠と、その上端部間に配される上枠とを有し、建具が設置される開口部へ取り付けられるようにした建具枠において、縦枠の上端部の内側面、上枠の端面のいずれか一方面に見込み方向に沿った凹溝が形成され、他方面に凹溝に嵌合する凸部が形成されており、縦枠、上枠のいずれか一方の見込み方向のすくなくとも一方の端部には、凹溝と凸部との嵌合状態を隠す覆い部が形成されていることを特徴とする。
【０００９】
本発明においては、凹溝および覆い部は縦枠に形成されていてもよく、覆い部は嵌合状態にある上枠の端部を隠す突出部を備えたものとしてもよい。
【００１０】
本発明においては、上枠が縦枠の内側面から遠ざかる方向に引き離されることを防止する離反防止手段をさらに備えた構成としてもよい。
【００１１】
本発明においては、凹溝は縦枠の上端面に平行な直線形状とされていてもよく、離反防止手段は、凸部の上下方向のすくなくとも一方に突出する突部と、その突部と嵌合し、凹溝の内面よりさらに掘り込まれてなる突受け部とより構成されたものとしてもよい。
【発明の効果】
【００１２】
本発明の建具枠によれば、上述の構成となっているため、建具枠の施工において建具枠を構成する枠部材が枠体に組み立てられた状態での破損を防止でき、その状態での取り扱いをしやすくすることができる。
【図面の簡単な説明】
【００１３】
【図１】本発明の一実施形態に係る建具枠の説明図である。（ａ）は縦枠の要部斜視図、（ｂ）は縦枠と上枠の要部分解斜視図、（ｃ）は縦枠と上枠の連結状態の要部斜視図である。
【図２】（ａ）は同連結状態における見込み方向の一方から見た要部正面図、（ｂ）は同他方から見た要部正面図である。
【図３】図１に示した建具枠の設置状態を示す概略正面図である。
【図４】本発明の他の実施形態に係る建具枠の説明図である。（ａ）は縦枠の要部斜視図、（ｂ）は縦枠と上枠の要部分解斜視図および要部拡大縦断面図、（ｃ）は縦枠と上枠の連結状態の要部斜視図である。
【図５】（ａ）は同連結状態における見込み方向の一方から見た要部正面図、（ｂ）は同他方から見た要部正面図である。
【図６】本発明のさらに他の実施形態に係る建具枠の説明図であり、（ａ）、（ｂ）は縦枠と上枠との組み合わせ例を示した、見込み方向の一方より見た要部正面図および要部拡大縦断面図である。
【発明を実施するための形態】
【００１４】
以下に、本発明の実施の形態について、添付図面を参照して説明する。まず、発明の概略について説明する。
【００１５】
図１〜図６に示した複数の実施形態に係る建具枠１、１、・・・は、左右一対の縦枠１０、１０と、その上端部間に配される上枠２０とを有し、建具２が設置される開口部４へ取り付けられるようにしたものである。縦枠１０の上端部の内側面１１、上枠２０の端面２１のいずれか一方面に見込み方向に沿った凹溝１２、２５が形成され、他方面に凹溝１２、２５に嵌合する凸部２２、１５が形成されている。さらに、縦枠１０、上枠２０のいずれか一方の見込み方向のすくなくとも一方の端部には、凹溝１２、２５と凸部２２、１５との嵌合状態を隠す覆い部１３、２３が形成されている。
【００１６】
ついで、本発明の一実施形態の建具枠について、図１〜図３を参照しながら詳細に説明する。
【００１７】
本建具枠１は、図３に示すように、住居の壁等に形成した開口部４に取り付けられるクローゼット用の枠である。この建具枠１には、開口部４を閉塞または開放するための引戸や開き戸、折戸などの建具２が設置される。
【００１８】
この建具枠１は、開口部４の両端に立設される縦枠１０、１０と、縦枠１０、１０間に連結される上枠２０と、同様に縦枠１０、１０間に連結される下枠３とを備えている。これらの枠材は木質材等よりなる。
【００１９】
この建具枠１は、図３に示すように縦勝ちに組み立てられるようになっている。図３に示したＸ部は縦勝ちに連結された、縦枠１０と上枠２０との連結部である。図１（ａ）〜（ｃ）は、このＸ部について示した図面である。
【００２０】
縦枠１０の上端部の内側面１１には、図１（ａ）に示すように、縦枠１０の幅方向、つまり建具枠１の見込み方向に沿って、上下に平行に等間隔に並ぶ３条の凹溝１２、１２、１２が形成されている。これらの凹溝１２、１２、１２は直線状であり、同幅、同深さに、たとえば切削等により形成されている。中央の凹溝１２の底部の２箇所には外側面より貫通したねじ挿入孔１４、１４が開設されている。このねじ挿入孔１４は、外側面側のねじ頭収容穴（不図示）と、それに連通する挿通孔（不図示）とよりなる。
【００２１】
これらの凹溝１２、１２、１２は、縦枠１０の幅方向の一方の端部が開口しており、他方の端部は覆い部１３によって閉塞されている。この覆い部１３は上下方向の全長にわたり形成されており、対向して設置される縦枠１０の方向に突出した突出部１３ａを有している。なお、この覆い部１３は縦枠本体と一体に形成されたものとしてもよいし、別体を後付けしたものとしてもよい。
【００２２】
一方、上枠２０の端面２１には、図１（ｂ）に示すように、上下に並ぶ３条の凸部２２、２２、２２（図例では凸条）が形成されている。これらの凸部２２、２２、２２は縦枠１０の凹溝１２、１２、１２に隙間なく嵌合できるような寸法、形状となっている。中央の凸部２２には、縦枠１０に設けたねじ挿入孔１４、１４に合致する位置にねじガイド穴２４、２４が形成されている。また、これらの凸部２２、２２、２２間の溝は見込み方向の両端が開口している。
【００２３】
なお、凸部２２はそれらの間を切削することで形成してもよいが、別体を後付けするようにしてもよい。別体とする場合は、凸部２２は凸条でなくてもよく、すくなくとも凹溝１２の適所に部分的に嵌合するように分割形成されたものであってもよい。
【００２４】
縦枠１０と上枠２０とは、図１（ｂ）および（ｃ）に示すように、凹溝１２の前方より凸部２２を押し込むように嵌合することで結合でき、ねじ６をねじ挿入孔１４より螺入して、両枠材は相互に固定される。なお、凹溝１２と凸部２２との嵌合は、凹溝１２の端部開口から凸部２２を挿入し、スライドするようにしてもよい。
【００２５】
ねじ止めは、上枠２０が縦枠１０の内側面１１から遠ざかる方向に引き離され、あるいはスライドにより分離されることを防止する離反防止手段Ａを構成する。
【００２６】
以上のようにして両枠材が結合されると、見込み方向の一方では凹凸の噛み合わせ嵌合が露出されるが、他方では覆い部１３によって噛み合わせが隠される。特に、覆い部１３は突出部１３ａを有しているため、凹凸嵌合だけではなく、縦枠１０の内側面１１と上枠２０の端面２１との接触部分も隠される（以上、図２（ｂ）参照）。なお、覆い部１３は突出部１３ａを有しない形状としてもよい。
【００２７】
このような覆い部１３ををクローゼットの開閉用の建具２の居室側に配するように、建具枠１を設置すれば、凹凸嵌合が居室側に露出されず、美感は損なわれない。なお、間仕切り用の開口部４に取り付ける建具枠１の場合、縦枠１０の見込み方向の両方の端部に覆い部１３を設けてもよい。
【００２８】
以上のようにして２つの縦枠１０、１０と上枠２０とを結合し、さらに下枠３を縦枠１０、１０に対してねじ等により組み付けて枠体が形成される。そして、このように形成した枠体が開口部４に取付固定される。
【００２９】
このような建具枠１は枠体の状態で開口部４に取り付けるために作業者により持ち運びされるが、その際、運搬の際の揺れなどにより、長方形状の枠体が平行四辺形状に変形するように負荷がかかる場合がある。しかしながら、本実施形態の建具枠１による枠体では、縦枠１０、２０と上枠とが凹凸嵌合により固定保持力が高められた構造となっているため、上記のような負荷がかかっても枠体の変形、歪みが発生する可能性は低い。その結果、枠材やねじ６の破損、変形を回避することができる。
【００３０】
また、両枠材はねじ止めにより固定されているため、上枠２０が縦枠１０の内側面１１から遠ざかる方向に引き離されることもないし、スライドによって両枠材が分離するおそれもない。このねじ止めは離反防止対策のためだけでなく、枠体の歪み防止にも寄与する。また、本実施形態の建具枠１は３条の凹凸嵌合にて縦枠１０と上枠２０が結合する構成であるため、固定性が高く、ねじ止めによる離反防止手段Ａがなくても枠体の歪みや分離は発生しにくい。
【００３１】
また、縦枠１０に覆い部１３が形成されているため、ねじ止めの際の両枠材の位置合わせをすることができ、ねじ止め作業をしやすくできる。
【００３２】
以上に示した実施形態の建具枠１は、複数の凹溝１２、１２、１２（凸部２２、２２、２２）が等間隔に平行に形成されているが、等間隔でなくてもよく、平行でなくてもよく、直線状でなくてもよい。さらにまた、複数の凹溝１２、１２、１２、凸部２２、２２、２２による嵌合により結合する構成でなくてもよく、１組の凹溝１２、凸部２２により嵌合、結合する構成としてもよい。
【００３３】
つぎに、本発明の他の実施形態の建具枠について、図４および図５を参照して詳細に説明する。なお、この建具枠１は図１と同様、クローゼット用のものであり、その設置状態は図３と同様であるため、各枠材の概略については説明を省略する。
【００３４】
縦枠１０の上端部の内側面１１には、図４（ａ）に示すように、縦枠１０の幅方向、つまり建具枠１の見込み方向に沿って、上下に平行に等間隔に並ぶ２条の凹溝１２、１２が形成されている。これらの凹溝１２、１２は直線状であり、同幅、同深さに形成されている。
【００３５】
これらの凹溝１２は、縦枠１０の幅方向の一方の端部が開口しており、他方の端部は覆い部１３によって閉塞されている。この覆い部１３は上下方向の全長に形成されており、対向する縦枠１０の方向に突出した突出部１３ａを有している。なお、この覆い部１３は縦枠本体と一体に形成されたものとしてもよいし、別体を後付けしたものとしてもよい。
【００３６】
また、上枠２０の端面２１には、図４（ｂ）に示すように、上下に並ぶ２条の凸部２２、２２（図例では凸条）が形成されている。
【００３７】
これらの凹溝１２と凸部２２は、図４（ｂ）に示すようにスライドにより隙間なく嵌合する形状となっている。具体的には、上枠２０の上側の凸部２２の先端には、上方向に突出する突部２２ａが形成され、下側の凸部２２の先端には下方向に突出する突部２２ａが形成されている。縦枠１０の凹溝１２のそれぞれには、上枠２０の突部２２ａと嵌合する、凹溝１２の内面よりさらに掘り込まれてなる突受け部１２ａ、１２ａが形成されている（以上、図４（ａ）、（ｂ）参照）。
【００３８】
すなわち、図４（ｂ）の拡大縦断面図に示すように、突受け部１２ａを有した上側の凹溝１２、突部２２ａを有した上側の凸部２２は、同形のＬ字形状とされ、突受け部１２ａを有した下側の凹溝１２、突部２２ａを有した凸部２２も同形のＬ字形状とされる。
【００３９】
なお、凸部２２は切削することで形成してもよいが、別体を後付けするようにしてもよい。別体とする場合は、凸部２２は凸条でなくてもよく、すくなくとも凹溝１２の適所に嵌合できるように分割形成されたものであってもよい。
【００４０】
以上のようにスライドにて両枠材を結合すれば、凸部２２には突部２２ａが形成され、凹溝１２には突受け部１２ａが形成されているので、上枠２０が縦枠１０の内側面１１から遠ざかる方向に引き離されることを防止することができる。つまり、突部２２ａと突受け部１２ａとにより離反防止手段Ａが構成される。
【００４１】
また、このように突部２２ａと突受け部１２ａとが嵌合する構造となっているため、ねじ止めで両枠材を固定する必要はなく、現場において、迅速に枠体を成形することができる。また、縦枠１０には覆い部１３が形成されているので、図１のものと同様、見込み方向の一方では凹凸嵌合は隠される（図５参照）。
【００４２】
本実施形態の建具枠１において設けた突部２２ａと突受け部１２ａは、図４の例のような形状でなくてもよい。上枠２０が縦枠１０の内側面１１より遠のく方向に外れないように、凹溝１２（凸部２２）の掘り込み（突出）方向とは異なる方向に延びるように形成されたものであればよい。突部２２ａおよび突受け部１２ａは、より簡易な形状とするために、掘り込み（突出）方向に垂直な上下方向のすくなくとも一方に延びるように形成されることが望ましい。
【００４３】
本実施形態の建具枠１によれば、図１に示した建具枠１と同様、枠体の持ち運びの際の枠体の変形による各枠材の破損や変形を防止することができる。ねじ６（図１参照）を使用しないため、ねじ６の破損は発生し得ない。
【００４４】
また、縦枠１０と上枠２０とはスライドにより結合できるようになっているため、上枠２０を後組みすることができる。つまり、縦枠１０を開口部４に取り付けてから上枠２０をスライド装着することもできる。また、スライド装着できる構成であるため、上枠２０の付け替えも簡易に行える。
【００４５】
縦枠１０と上枠２０との結合構造としては、以上に示した実施形態の他に、たとえば図６（ａ）、（ｂ）に示したものが挙げられる。
【００４６】
図６（ａ）の例は、縦枠１０の凹溝１２が蟻ほぞ形状となっているもので、上枠２０の凸部２２はその凹溝１２に嵌合する先端が上下に広がった形状となっている。したがって、凹溝１２、凸部２２の形状そのものが両枠材の離反防止手段Ａを構成する。
【００４７】
この建具枠１によれば、結合構造が離反防止手段Ａを兼ね備えた簡易な形状となっているため、製造コストを抑えることができる。
【００４８】
図６（ｂ）の例は、他部材を縦枠１０の凸部１５として用いたものである。縦枠１０には、別体の凸部用部材１５ａを嵌め入れ固定する凹条１５ｂが形成されており、その凹条１５ｂに突部１５ｃ（離反防止手段Ａ）付きの凸部用部材１５ａを嵌め入れ、ねじ６で固定したことにより凸部１５が形成されている。この凸部１５に対して上枠２０の端面２１に形成された突受け部２５ａ（離反防止手段Ａ）付きの凹溝２５をスライド嵌合できるようになっている。
【００４９】
この凸部用部材１５ａは、現場で縦枠１０に組み付けるようにすればよい。そうすれば、凸部用部材１５ａを別に梱包して運搬することができ、突部１５ｃの破損、変形を防止することができる。
【００５０】
以上に示した複数の実施形態に係る建具枠１、１、・・・は、縦枠１０に覆い部１３を設けた構成となっているが、覆い部１３は上枠２０に形成してもよい。また、覆い部１３は凹溝１２、２５を有した枠材に設けなくてもよく、図６（ｂ）に例示したように、凸部２２、１５を設けた枠材に設けるようにしてもよい。
【符号の説明】
【００５１】
１        建具枠
２        建具
４        開口部
１０      縦枠
１１      内側面
１２      凹溝
１２ａ    突受け部
１３      覆い部
１３ａ    突出部
１５      凸部
１５ｃ    突部
２０      上枠
２１      端面
２２      凸部
２２ａ    突部
２３      覆い部
２５      凹溝
Ａ        離反防止手段
【図１】
2015172314.tif 000003
【図２】
2015172314.tif 000004
【図３】
2015172314.tif 000005
【図４】
2015172314.tif 000006
【図５】
2015172314.tif 000007
【図６】
2015172314.tif 000008